(57)【特許請求の範囲】
【請求項１】
内壁（２）と、該内壁（２）に接続可能な外壁（３）とを有する引出しの側壁（１）であって、
前記引出しの側壁（１）が接続可能な収容体レール（４）が取り付けられており、前記収容体レール（４）を引出し延出ガイド（１１）の延出レール（１２）に固定することができ、前記収容体レール（４）には、引出し前方パネル（７）を固定するための装置（６）を備えた、前記収容体レール（４）とは分離した上方に突出する前方装着具（５）が配置されており、
下方領域では前記内壁（２）は、前記収容体レール（４）に直接的且つ固定的に接続されており、前記内壁（２）の上方領域では前記前方装着具（５）は、前記内壁（２）に直接的且つ固定的に接続されていることを特徴とする引出しの側壁。
【請求項２】
前記収容体レール（４）には、引出し後壁（１０）を固定する装置（９）を備えた上方に突出する後方装着具（８）が配置されており、前記内壁（２）の上方領域では前記後方装着具（８）が、前記内壁（２）に直接的且つ固定的に接続されていることを特徴とする請求項１に記載の引出しの側壁。
【請求項３】
前記前方装着具（５）が、前記収容体レール（４）に対し、直接的且つ固定的に接続されていることを特徴とする請求項１又は２に記載の引出しの側壁。
【請求項４】
前記後方装着具（８）が、前記収容体レール（４）に対し、直接的且つ固定的に接続されていることを特徴とする請求項２に記載の引出しの側壁。
【請求項５】
前記内壁（２）は、少なくとも部分的に鋼材を含んでいることを特徴とする請求項１から４のいずれかに記載の引出しの側壁。
【請求項６】
前記収容体レール（４）および／または前記前方装着具（５）が、少なくとも部分的に鋼材を含んでいることを特徴とする請求項１から５のいずれかに記載の引出しの側壁。
【請求項７】
前記後方装着具（８）が、少なくとも部分的に鋼材を含んでいることを特徴とする請求項２に記載の引出しの側壁。
【請求項８】
前記外壁（３）は、前記内壁（２）と分離して形成されていることを特徴とする請求項１から７のいずれかに記載の引出しの側壁。
【発明の詳細な説明】
【技術分野】
【０００１】
本発明は、内壁と、内壁に接続可能な外壁とを有する引出しの側壁に関する。
【背景技術】
【０００２】
引出しの側壁が接続可能な収容体レールが提供されており、収容体レールには、引出し前方パネルを固定するための装置を備えた、上方に突出する前方装着具が配置されている。
【０００３】
引出し側壁は、収容体レールに配置または固定されていることが多い。典型的にはその後、２本の収容体レールが引出し底部の下側にある適切な開口部へと挿入され、家具枠体に配置された２つの引出し延出ガイドの可動延出レールに引出しを接続する役割を果たす。
【０００４】
従来技術の収容体レールの場合、前方装着具と後方装着具は、その上にそれぞれ配置されていることが多く、これら装着具は、引出し前方パネルと引出し後壁とをそれぞれ固定させる役割を果たす（例えば特許文献１、特許文献２）。通常は、引出し前方パネルによって、このような構造物に適用される作用力は、例えば引出しを閉じるために押す動作によるものであり、この場合には、作用力は、前方装着具の固定点または固定領域によって主に収容体レールへ運ばれる。特に、高い（縦長の）引出し前方パネルまたは縦長の前方装着具の場合には、安定性の欠如につながる。
【先行技術文献】
【特許文献】
【０００５】
【特許文献１】欧州特許出願公開第１０８４６５５Ａ１号明細書
【特許文献２】欧州特許出願公開第１１５７６３６Ａ１号明細書
【発明の概要】
【発明が解決しようとする課題】
【０００６】
したがって、本発明の目的は、従来技術に勝る改良された引出し側壁の提供である。特に本発明は、引出し前方パネルによる力が作用する場合に、高レベルの安定性の達成を追求する。
【課題を解決するための手段】
【０００７】
本発明によれば、これは、請求項１の特徴によって達成できる。本発明のさらなる有利な形態は、従属請求項に記載されている。
【０００８】
本発明によれば、下方領域では、内壁は、収容体レールに直接固定式に接続されており、内壁の上方領域では、前方装着具は、内壁に直接固定式に、好適には溶接によって接続されている。
【０００９】
このように、特に前方装着具に取り付けられた引出し前方パネルによる力が作用する場合に安定性が向上する。内壁の上方領域での引出し側壁の内壁への前方装着具の追加固定によって、作用力は、収容体レールへの前方装着具の固定点または固定領域のみによって主として支持される必要がなくなる。この作用力は、引出し側壁へ前方装着具の固定点または固定領域によっても運ばれる。この結果、作用力が引出しにさらに良好に作用するだけでなく、全体的にさらに安定した構造物も提供する。加えて、結果的に収容体レールへの前方装着具の固定がさらに簡素化されるので、さらに安価となる。引出し側壁の内壁への前方装着具の接続は、この場合には、例えば溶接、リベット留め、ネジ留め、クリンチ加工、またはウォブルクリンチ加工によって実行できる。
【００１０】
特に好適な実施例では、収容体レールには、引出し後壁を固定する装置を備えた上方に突出する後方装着具を取り付けることができ、内壁の上方領域では、後方装着具を内壁に直接固定式に、好適には溶接、リベット留め、ネジ留め、クリンチ加工、またはウォブルクリンチ加工によって接続できる。
【００１１】
この点で、前方装着具および/または後方装着具が収容体レールに直接固定式に、好適には溶接、リベット留め、ネジ留め、クリンチ加工、またはウォブルクリンチ加工によって接続されていることが特に有利であることが分かっている。これは収容体レールから形成される安定したフレームを提供し、装着具（前方装着具と後方装着具）は、前方装着具と後方装着具を直接固定式に接続できる収容体レールと内壁に配置される。下方領域では、内壁は、収容体レールに、例えばクリンチ加工、リベット留め、ネジ留め、または溶接によって直接固定式に接続される。安定したフレームによって、例えば引出し前方パネルまたは引出し後壁によってその構造物に適用される作用力は、非常に良好に吸収される。なぜなら、前方装着具と後方装着具を引出し側壁の内壁に固定することができ、特に、引出し側壁の外壁は、前述したような作用力には影響されない。このように外壁は、純粋な外装要素の形態でも構わず、そのような力作用に耐えられないであろう材料を含むことができる。
【００１２】
本発明の特に有利な実施例では、内壁は、少なくとも部分的に鋼材を含んでいる。さらに収容体レールおよび/または前方装着具および/または後方装着具が少なくとも部分的に鋼材を含んでいる場合には、前方装着具および/または後方装着具の内壁および収容体レールへの接続は、溶接によって、特に簡易で安価な形態で実行できる。
【００１３】
腐食から保護するため、前方装着具および/または後方装着具は、少なくとも部分的に亜鉛メッキ鋼材シートを含むことができる。引出し側壁の内壁および/または外壁は、例えば少なくとも部分的にアルミニウムおよび/または被覆（例えばプラスチックコーティング）された鋼材および/またはステンレス鋼を含むことができる。
【００１４】
本発明のさらなる詳細と利点は、以降の詳細な説明によって解説されている。
【図面の簡単な説明】
【００１５】
【図１】図１は、引出し延出ガイドによって家具枠体に対して移動可能に取り付けられた引出しを備えた家具の斜視図である。
【図２】図２は、引出し前方パネルがない状態の引出しの斜視図である。
【図３】図３は、収容体レールの斜視図である。
【図４】図４は、引出し側壁に配置された内壁を備えた図３の収容体レールを示している。
【図５】図５は、収容体レールと内壁に配置された前方装着具と後方装着具を示している。
【図６】図６は、収容体レールと内壁に配置された前方装着具と後方装着具の別実施例を示している。
【図７ａ】図７ａは、図６の詳細図である。
【図７ｂ】図７ｂは、図６の詳細図である。
【図８】図８は、収容体レールに配置された本発明の引出し側壁の斜視図である。
【図９】図９は、外壁のない状態の図８の引出し側壁の正面図である。
【図１０】図１０は、外壁が配置された状態の図９の構造物を示している。
【図１１】図１１は、高さがさらに低い図６に示す本発明の引出し側壁の斜視図である。
【図１２ａ】図１２ａは、図１１の詳細図である。
【図１２ｂ】図１２ｂは、図１１の詳細図である。
【図１３】図１３は、高さがさらに低い、収容体レールに配置された本発明の引出し側壁の斜視図である。
【図１４】図１４は、外壁がない状態の図１３の引出し側壁の正面図である。
【図１５】図１５は、外壁が配置された状態の図１４の構造物を示している。
【発明を実施するための形態】
【００１６】
図１は、家具の斜視図であり、引出し１６は、引出し延出ガイド１１によって家具枠体に対して移動可能に取り付けられている。引出し１６は、２枚の引出し側壁１、引出し後壁１０、引出し前方パネル７、および底部１３をそれぞれ含んでいる。引出し１６の底部１３は、典型的には下側に収容体レール４（ここでは図示せず）を受領するための２つの開口部を有しており、それによって引出し１６は、左右にて家具枠体１７に固定されている２つの引出し延出ガイド１１の延出レール１２に接続されている。
【００１７】
図２は、引出し前方パネル７が取り外された状態の引出し１６の斜視図である。引出し１６の側壁１は、内壁２と、それぞれの内壁２に接続されている外壁３とをそれぞれ含んでいる。引出し１６の底部１３は、下側に、２本の収容体レール４により実質的にポジティブなロック式にクラッドされている２つの開口部を有する。収容体レール４は、引出し延出ガイド１１の延出レール１２に引出し１６を固定する役割を果たす（図１参照）。
【００１８】
図３は、収容体レール４を実施例によって示している。収容体レール４は、そこに取り付けられた収容体レール４を備えた引出し１６が引出し延出ガイド１１の延出レール１２に良好にフィットし、そこで固定されるよう、略Ｚ形状またはＳ形状の断面形状を有する。
【００１９】
図４は、図３の収容体レール４を示しており、引出し側壁１の内壁２は、収容体レール４の上に配置されている。本例では、内壁２は、内壁２の下方領域で、収容体レール４の外側長手縁部に沿って湾曲した、収容体レール４のほぼ垂直下向きの肢部に直接固定式に接続されている。この接続は、例えばクリンチ加工、溶接、リベット留め、またはネジ留めによって可能である。この例では、その上方外側長手縁部の領域にて、内壁２は、ほぼＳ形状断面に湾曲した部分を有しており、これは、外壁３へのポジティブなロック式接続のための受領手段としての役割を果たしている（図９と図１０参照）。Ｓ形状部に隣接しているのは、ほぼ垂直下向きの固定肢部１４であり、それに前方装着具５と後方装着具８を別な連続体として固定できる。本例では、固定肢部１４は、内壁２の全長に渡って延出しているが、内壁２の長手方向に沿って部分的にのみ延出することもできることは理解されよう。
【００２０】
図５は、図４の構造物を示しており、前方装着具５と後方装着具８は、収容体レール４の垂直下向き肢部および内壁２の固定肢部１４に直接固定式にそれぞれ接続されている。この接続は、例えば溶接、リベット留め、クリンチ加工、またはウォブルクリンチ加工によって可能である。引出し前方パネル７（ここでは図示せず）を固定するための装置６は、前方装着具５に配置されており、引出し後壁１０（これもここでは図示せず）を固定するための装置９は、後方装着具８に配置されている（図１参照）。
【００２１】
図６は、収容体レール４、収容体レール４に接続された内壁２、および収容体レール４と内壁２にそれぞれ接続された前方装着具５および後方装着具８を図示している。収容体レール４、内壁２、前方装着具５、および後方装着具８は、本例では鋼材を少なくとも部分的に含んでいる。この結果、前方装着具５と後方装着具８を容易かつ安価に、収容体レール４と内壁の固定肢部１４に固定点１５にて溶接することができる。
【００２２】
図７ａは、図６にＡで示す領域の拡大図であり、図７ｂは、図６にＢで示す領域の拡大図である。この場合には、前方装着具５が内壁２の固定肢部１４と収容体レール４に溶接されている固定点１５が特に示されている。
【００２３】
図８は、図６に類似した構造物の斜視図であり、引出し側壁１の外壁３は、この構造物に接続されている。本例では、外壁３は、内壁２の適切な形状部分と収容体レール４へとクリップ留めされている（図１０参照）。
【００２４】
図９は、外壁３が取り外された状態の図８の構造物の正面図である。内壁２は、ほぼ垂直に延出する平坦な壁部を有しており、収容体レール４に、例えばクリンチ加工または溶接によって、その下方領域にて接続されている。本例においては、その上方端領域では、内壁２は、その上方外側長手縁部の領域にて、ほぼＳ形状断面に湾曲しており、外壁３へのポジティブなロック式接続のための受領手段の役割を果たす部分を有している（図１０参照）。Ｓ形状部分に隣接しているのは、そこに前方装着具５が固定点１５にて溶接される、ほぼ垂直下向きの固定肢部１４である。前方装着具５の下方端領域もまた固定点１５にて収容体レール４に溶接されている（図６参照）。
【００２５】
図１０は、外壁３が配置された状態の図９の構造物を示している。外壁３の上方端領域は、フック形状断面の形態で、内壁２の上方端領域のＳ形状部分と対応しており、外壁３がＳ形状部分へと容易にクリップ留めされ、これが内壁２と外壁３との間にポジティブなロック式接続を提供する。外壁３の下方端領域は、本例では、外壁３を収容体レール４に固定するために折り曲げられており、収容体レール４の外側垂直肢部の、対応する傾斜式に下降した延出部へのポジティブなロック式接続が提供される。
【００２６】
図１１から図１５は、図６から図１０に対応する本発明の引出し側壁１の別例を示しており、図１１から図１５の引出し側壁１は、図６から図１０に示す引出し側壁１よりも低い高さのものである。
【図１】
0005964410.tif 000002
【図２】
0005964410.tif 000003
【図３】
0005964410.tif 000004
【図４】
0005964410.tif 000005
【図５】
0005964410.tif 000006
【図６】
0005964410.tif 000007
【図７ａ】
0005964410.tif 000008
【図７ｂ】
0005964410.tif 000009
【図８】
0005964410.tif 000010
【図９】
0005964410.tif 000011
【図１０】
0005964410.tif 000012
【図１１】
0005964410.tif 000013
【図１２ａ】
0005964410.tif 000014
【図１２ｂ】
0005964410.tif 000015
【図１３】
0005964410.tif 000016
【図１４】
0005964410.tif 000017
【図１５】
0005964410.tif 000018